(57)【特許請求の範囲】
【請求項１】
自動変速機に設けられる複数の摩擦係合要素をそれぞれ係合または解除させることにより複数の変速段を切換制御する自動変速機用油圧制御装置において、
電気信号に応じて油圧を制御する電磁制御弁と、
油圧指令値によって弁部材が移動し、油路の切換または油圧の制御を行う油圧駆動弁とを有し、
前記電磁制御弁と前記油圧駆動弁とを収容し、前記電磁制御弁と前記油圧駆動弁とともに、前記自動変速機用油圧制御装置の油圧回路を構成する前記油圧回路の油路を設けた複数のハウジングを備え、
前記複数のハウジングの一つに前記油圧駆動弁のすべてを収容し、内壁に前記弁部材が摺動自在に支持される該ハウジングに耐摩耗処理を施し、
前記電磁制御弁を収容する前記ハウジングは、前記電磁制御弁の少なくとも一つを上面に配置するとともに、前記上面に配置する前記電磁制御弁の少なくとも一つを包囲する包囲壁体を有し、該包囲壁体の内側の空間に作動油を充満することを特徴とする自動変速機用油圧制御装置。
【請求項２】
自動変速機に設けられる複数の摩擦係合要素をそれぞれ係合または解除させることにより複数の変速段を切換制御する自動変速機用油圧制御装置において、
電気信号に応じて油圧を制御する電磁制御弁と、
油圧指令値によって弁部材が移動し、油路の切換または油圧の制御を行う油圧駆動弁とを有し、
前記電磁制御弁と前記油圧駆動弁とを収容し、前記電磁制御弁と前記油圧駆動弁とともに、前記自動変速機用油圧制御装置の油圧回路を構成する前記油圧回路の油路を設けた複数のハウジングを備え、
前記複数のハウジングの一つに前記電磁制御弁のすべてを収容し、該ハウジングに耐摩耗処理を施さず、
前記電磁制御弁を収容する前記ハウジングは、前記電磁制御弁の少なくとも一つを上面に配置するとともに、前記上面に配置する前記電磁制御弁の少なくとも一つを包囲する包囲壁体を有し、該包囲壁体の内側の空間に作動油を充満することを特徴とする自動変速機用油圧制御装置。
【請求項３】
自動変速機に設けられる複数の摩擦係合要素をそれぞれ係合または解除させることにより複数の変速段を切換制御する自動変速機用油圧制御装置において、
電気信号に応じて油圧を制御する電磁制御弁と、
油圧指令値によって弁部材が移動し、油路の切換または油圧の制御を行う油圧駆動弁とを有し、
前記電磁制御弁と前記油圧駆動弁とを収容し、前記電磁制御弁と前記油圧駆動弁とともに、前記自動変速機用油圧制御装置の油圧回路を構成する前記油圧回路の油路を設けた複数のハウジングを備え、
前記複数のハウジングの一つに前記電磁制御弁のすべてと前記油圧駆動弁のすべてとを収容し、内壁に前記弁部材が摺動自在に支持される該ハウジングに耐摩耗処理を施し、他のハウジングには耐摩耗処理を施さず、
前記電磁制御弁を収容する前記ハウジングは、前記電磁制御弁の少なくとも一つを上面に配置するとともに、前記上面に配置する前記電磁制御弁の少なくとも一つを包囲する包囲壁体を有し、該包囲壁体の内側の空間に作動油を充満することを特徴とする自動変速機用油圧制御装置。
【請求項４】
前記電磁制御弁を収容する前記ハウジングは前記電磁制御弁のすべてを前記上面に配置し、前記上面に配置する前記電磁制御弁の電気端子のほぼすべてと電気的に接続する一体コネクタを有し、該一体コネクタを前記包囲壁体に取り付けることにより前記電磁制御弁の位置を固定することを特徴とする請求項１、２又は３記載の自動変速機用油圧制御装置。
【請求項５】
前記包囲壁体は前記ハウジングの補強部材を兼ねることを特徴とする請求項１〜４のいずれか一項記載の自動変速機用油圧制御装置。
【請求項６】
前記ハウジングの包囲壁体に包囲された領域内に作動油の排出口を設けることを特徴とする請求項１〜５のいずれか一項記載の自動変速機用油圧制御装置。
【発明の詳細な説明】
【０００１】
【発明の属する技術分野】
本発明は、自動変速機の変速機構を油圧で変速制御する自動変速機用油圧制御装置に関する。
【０００２】
【従来の技術】
特公平５−５９２９１号公報に開示されるような従来の自動変速機用油圧制御装置では、油圧回路を構成する油圧駆動弁や電磁制御弁を複数のハウジングに分散して配置することが一般的である。電磁制御弁は弁部材を摺動支持する支持部材と弁部材との摺動クリアランスを高精度に保持する必要があるため、油圧制御装置のハウジングではなく電磁制御弁自身で弁部材を摺動支持する支持部材を備えている。一方、油圧駆動弁は油圧制御装置のハウジングを弁部材の支持部材として用いるので、油圧駆動弁の弁部材との摺動による摩耗を防止するため、油圧制御装置のハウジングに耐摩耗処理を施すことが望ましい。
【０００３】
【発明が解決しようとする課題】
しかしながら、油圧制御装置のハウジングに施す耐摩耗処理は高価であり、油圧駆動弁が複数のハウジングに分散していると各ハウジングに耐摩耗処理を施さなければならないので製造コストが上昇するという問題がある。
また電磁制御弁を分散して配置していると、電磁制御弁に接続するコネクタの集積および統合化が困難であり、電磁制御弁毎にコネクタを接続しなければならない。したがって、電磁制御弁とコネクタとの接続が煩雑であり接続工数を減少できない。
【０００４】
さらに、油圧駆動弁および電磁制御弁と油路とが混在しているので設計が複雑になることに加え、油路設計が制約され自由度が低いので設計工数が増加するという問題がある。
さらに、電磁制御弁の冷却を考慮して電磁制御弁の配置がなされていないので、電磁制御弁の冷却が十分に行われていないという問題がある。
【０００５】
本発明の目的は、耐摩耗処理を必要最低限に抑え、安価な自動変速機用油圧制御装置を提供することにある。
本発明の他の目的は、電磁制御弁とコネクタとの接続を容易にし、接続工数を低減する自動変速機用油圧制御装置を提供することにある。
本発明の他の目的は、電磁制御弁を十分に冷却する自動変速機用油圧制御装置を提供することにある。
【０００６】
本発明の他の目的は、油路の設計が容易な自動変速機用油圧制御装置を提供することにある。
【０００７】
【課題を解決するための手段】
本発明の請求項１記載の自動変速機用油圧制御装置によると、油圧回路を構成する油圧駆動弁を一つのハウジングにすべて収容しているので、油圧駆動弁の弁部材と摺動するハウジングの内壁に対する耐摩耗処理を一つのハウジングに行うだけでよい。これにより、製造コストを低減することができる。
【０００８】
本発明の請求項２記載の自動変速機用油圧制御装置によると、油圧回路を構成する電磁制御弁を一つのハウジングに収容しているので、電気的接続を要する部品をハウジングの同一面上に集約して配置できる。これにより、電気的配線が容易になるとともにコネクタを一体化することも可能であるから、組付け工数および製造コストを低減できる。
【０００９】
本発明の請求項３記載の自動変速機用油圧制御装置によると、電磁制御弁のすべてと油圧駆動弁のすべてとを一つのハウジングに収容している。したがって、耐摩耗処理を一つのハウジングに行うだけでよい。さらに、電気的接続を要する部品をハウジングの同一面上に集約して配置できるので、電気的配線が容易になるとともにコネクタを一体化することも可能である。これにより、組付け工数および製造コストを低減できる。さらに、電磁制御弁のすべてと油圧駆動弁のすべてとを収容するハウジングの部品設置方向の面積を小さくしても他のハウジングで油路を自由に設計することができるので、油圧制御装置を小型化できるとともに油路の設計工数が低減する。
【００１０】
本発明の請求項１〜３記載の自動変速機用油圧制御装置によると、電磁制御弁を収容するハウジングは、電磁制御弁の少なくとも一つを上面に配置するとともに、上面に配置する電磁制御弁の少なくとも一つを包囲する包囲壁体を有する。包囲壁体の内部に作動流体を充満させることにより、包囲壁体に包囲された電磁制御弁を十分に冷却することができるので、温度上昇による電磁制御弁の作動不良を防止する。これにより、電磁制御弁への通電電力量を大きくすることができるので、電磁制御弁の制御電力に余裕が生じる。さらに、電磁制御弁の小型化に伴い電磁制御弁の温度が上昇しやすくなっても十分に冷却できるので、温度上昇による作動不良を防止し、かつ電磁制御弁を小型化できる。
【００１１】
本発明の請求項４記載の自動変速機用油圧制御装置によると、電磁制御弁のすべてをハウジングの上面に配置するとともに、上面に配置する電磁制御弁の電気端子のほぼすべてを一体コネクタと電気的に接続し、一体コネクタを包囲壁体に取付けている。したがって、すべての電磁制御弁と一体コネクタとを一度に電気的に接続できるので電気的配線が容易になる。さらに、一体コネクタをハウジングに取り付ける部材を新たに設ける必要がないので、油圧制御装置の小型化および低コスト化を図ることができる。
【００１２】
本発明の請求項５記載の自動変速機用油圧制御装置によると、包囲壁体がハウジングの補強部材を兼ねている。したって、ハウジングに新たに補強部材を設ける必要がないので、装置の小型化および低コスト化を図ることができる。
本発明の請求項６記載の自動変速機用油圧制御装置によると、包囲壁体に包囲された領域内に排出口を設けているので、電磁制御弁を冷却して温度が上昇した作動流体が速やかに排出される。したがって、常に新しい作動流体が包囲壁体に供給されるので電磁弁を確実にかつ効果的に冷却することができる。
【００１３】
【発明の実施の形態】
以下、本発明の実施の形態を示す複数の実施例を図面に基づいて説明する。
（第１実施例）
本発明の第１実施例による自動変速機用油圧制御装置を車両用の自動変速機（以下、「自動変速機」をＡＴという）に適用した油圧回路の一例を図２に示す。
【００１４】
油圧制御装置１００には、マニュアルバルブ１０１、ライン圧制御手段１１０、ロックアップ制御手段１２０等が含まれている。マニュアルバルブ１０１はシフトレバーと連動して走行レンジを切換える切換弁である。ライン圧制御手段１１０は、高圧のライン圧を発生し、ライン圧の作動油を各油圧部品に供給する。ロックアップ制御手段１２０は、トルクコンバータ１３０のロックアップクラッチに加える油圧を制御する。
【００１５】
図２の上部に位置するＯＤ／Ｃ、ＵＤ／Ｃ、２ＮＤ／Ｂ、Ｒ／Ｃ、ＬＲ／Ｂは特許請求の範囲に記載した「摩擦係合要素」を表している。各ＥＶは電磁制御弁を表しており、そのうちＥＶ１、ＥＶ２、ＥＶ３、ＥＶ４は電気的指令によって摩擦係合要素の係合または解除を油圧制御している。各ＭＶは油圧駆動弁を表しており、油圧指令値によって油路を切り換えたり、出力油圧を調整したりしている。
【００１６】
図２に示す油圧制御装置１００を実際の油圧部品で構成した一例を図１に示す。図１に示す油圧制御装置１は必ずしも図２に示した油圧回路を忠実に実現したものではない。
１１、１２、１３、１４、１５はＥＶであり、３１、３２、３３、３４はＭＶである。ＥＶ１１、１２、１３、１４はアッパハウジング１０に収容されている。ＥＶ１５、ＭＶ３１、３２、３３、３４はロアハウジング３０に収容されている。各ＥＶはソレノイド部を収容した上部をアッパハウジング１０およびロアハウジング３０から露出している。
【００１７】
アッパハウジング１０およびロアハウジング３０には各ＥＶ、ＭＶと接続する油路が形成されている。シールプレート２０は、アッパハウジング１０およびロアハウジング３０に形成された油路同士を接続する油路を有するとともに、アッパハウジング１０とロアハウジング３０との間をシールしている。
各ＥＶは、図示しないステー等でアッパハウジング１０およびロアハウジング３０にねじ止めされている。各ＥＶのソレノイド部に制御電流を供給するケーブルのコネクタは、各ＥＶのコネクタとそれぞれ別々に電気的に接続される。各ＥＶは、各ＥＶの弁部材を摺動自在に支持する支持部材をアッパハウジング１０およびロアハウジング３０とは別にＥＶ自身で備えている。各ＭＶの弁部材はロアハウジング３０の内壁に摺動自在に支持されている。
【００１８】
第１実施例では、アッパハウジング１０にＭＶは収容されておらずロアハウジング３０にすべてのＭＶが収容されているので、ＭＶの弁部材との摺動による摩耗を防止するためにロアハウジング３０にだけ耐摩耗処理を施せばよい。したがって、耐摩耗処理に要するコストを低減できる。
（第２実施例）
本発明の第２実施例を図３に示す。第１実施例と実質的に同一構成部分には同一符号を付す。
【００１９】
第２実施例では、アッパハウジング１０にすべてのＥＶが収容され、ロアハウジング３０にすべてのＭＶが収容されている。したがって、ロアハウジング３０にだけ耐摩耗処理を施せばよい。さらに、ケーブルとの電気的接続を必要とするＥＶがすべて同一面上に集約して配置されるので、電気的配線が容易になるとともにＥＶに接続するコネクタを一体化することも可能である。これにより、組付け工数および製造コストを低減できる。
【００２０】
（第３実施例）
本発明の第３実施例を図４に示す。第２実施例と実質的に同一構成部分には同一符号を付す。
第３実施例では、アッパハウジング１０にすべてのＥＶが収容され、ロアハウジング３０にすべてのＭＶが収容されている。さらに、ＥＶの周囲を薄板状の包囲壁体４０で覆っているので、包囲壁体４０の内部に作動油を充満させることにより発熱量の大きいＥＶを十分に冷却することができる。これにより、温度上昇によるＥＶの作動不良を防止するので、ＥＶへの通電電力量を大きくすることができ、ＥＶの制御電力に余裕が生じる。さらに、ＥＶを小型化することに伴いＥＶの温度が上昇しやすくなっても十分に冷却できるので、作動不良を防止し、かつＥＶを小型化できる。
【００２１】
さらに、包囲壁体４０がアッパハウジング１０の上面に取り付けられていることにより、包囲壁体４０がアッパハウジング１０の補強部材の役割を果たしている。したがって、アッパハウジング１０を補強するための部材を新たに設ける必要がないので、油圧制御装置の小型化を図るとともに製造コストが低減する。
第３実施例では、アッパハウジング１０の上面に包囲壁体４０を設けることによりＥＶの周囲に作動油を充満させたが、アッパハウジング１０に凹部を設けて凹部の周壁を包囲壁体とし、この凹部内にＥＶを配置し、凹部に作動油を充満してＥＶを冷却してもよい。また、ＥＶの配置によっては一部のＥＶだけを薄板状または凹部による包囲壁体で覆ってもよい。
【００２２】
（第４実施例）
本発明の第４実施例を図５に示す。第２実施例と実質的に同一構成部分には同一符号を付す。
第４実施例では、アッパハウジング１０にすべてのＥＶが収容され、ロアハウジング３０にすべてのＭＶが収容されている。薄板状の包囲壁体４１はＥＶの周囲を覆っており、ねじ穴４１ａが包囲壁体４１に形成されている。固定部材としてのカバー４２はＥＶ２１、２２、２３、２４、２５を押さえつけながらねじ４３により包囲壁体４１にねじ止めされる。したがって、ＥＶ２１、２２、２３、２４、２５にはアッパハウジング１０にねじ止めするためのステー等が設けられていない。カバー４２には作動油を供給するための貫通孔４２ａが形成されている。
【００２３】
第４実施例では、カバー４２が各ＥＶをアッパハウジング１０に押しつけて固定するので、アッパハウジング１０にＥＶを固定するためのステー等が不要になる。したがって、各ＥＶをそれぞれアッパハウジング１０にねじ止めする必要がないので、ＥＶを固定する工数が減少する。
さらに、カバー４２を包囲壁体４１にねじ止めすることにより、カバー４２をねじ止めする部材を新たにアッパハウジング上に設ける必要がない。したがって、油圧制御装置の小型化を図るとともに部品点数が減少するので製造コストが低減する。
【００２４】
（第５実施例）
本発明の第５実施例を図６に示す。第４実施例と実質的に同一構成部分には同一符号を付す。
第５実施例では、アッパハウジング１０にすべてのＥＶが収容され、ロアハウジング３０にすべてのＭＶが収容されている。ソレノイド部に制御電流を供給するＥＶ４６、４７、４８、４９、５０のターミナルは露出している。そして、露出した各ＥＶのターミナルに一体化されたコネクタ４５が接続され、コネクタ４５はねじ４３により包囲壁体４１にねじ止めされる。このとき、各ＥＶはコネクタ４５によりアッパハウジング１０に押しつけながら固定される。コネクタ４５には作動油を供給する貫通孔４５ａが形成されている。
【００２５】
第５実施例では、各ＥＶと電気的に接続する一体化されたコネクタ４５が各ＥＶをアッパハウジング１０に押しつけながら固定する固定部材を兼ねている。したがって、各ＥＶにそれぞれケーブルを接続する必要がなく、一回の接続工程ですべてのＥＶのターミナルとコネクタ４５とを電気的に接続できるので、ＥＶとコネクタとの電気的接続工数が減少する。
【００２６】
さらに、コネクタ４５がＥＶの固定部材を兼ねているので、アッパハウジング１０にＥＶを固定するためのステー等が不要になる。したがって、各ＥＶをそれぞれアッパハウジング１０にねじ止めする必要がないので、ＥＶを固定する工数が減少する。
（第６実施例）
本発明の第６実施例を図７に示す。第３実施例と実質的に同一構成部分には同一符号を付す。
【００２７】
アッパハウジング１０に排出口１０ａが形成されているので、包囲壁体４０内に供給される冷却用の作動油が排出口１０ａから排出され、常に新しい作動油が包囲壁体４０内に供給される。したがって、ＥＶを効率よく冷却することができるので、温度上昇によるＥＶの作動不良を防止できる。
（第７実施例）
本発明の第７実施例を図８に示す。第２実施例と実質的に同一構成部分には同一符号を付す。
【００２８】
第７実施例では、アッパハウジング５１にすべてのＥＶ、すべてのＭＶが収容されている。したがって、耐摩耗処理をアッパハウジング５０にだけ施せばよい。さらに、ＥＶに接続するコネクタを一体化できる。さらに、アッパハウジング５１、シールプレート２０、ロアハウジング５３の油圧部品を設置する方向の面積が狭くてもシールプレート５２およびロアハウジング５３においてＥＶ、ＭＶに邪魔されることなく自由に油路を形成できるので、油圧制御装置を小型化できるとともに油路の設計工数が低減する。
【図面の簡単な説明】
【図１】本発明の第１実施例による油圧制御装置を示す模式的分解図である。
【図２】本発明の一実施例による油圧制御装置の油圧回路図である。
【図３】本発明の第２実施例による油圧制御装置を示す模式的分解図である。
【図４】本発明の第３実施例による油圧制御装置を示す模式的分解図である。
【図５】本発明の第４実施例による油圧制御装置を示す模式的分解図である。
【図６】本発明の第５実施例による油圧制御装置を示す模式的分解図である。
【図７】本発明の第６実施例による油圧制御装置を示す模式的分解図である。
【図８】本発明の第７実施例による油圧制御装置を示す模式的分解図である。
【符号の説明】
１                        油圧制御装置
１０、５１                  アッパハウジング
１１、１２、１３、１４、１５、２１、２２、２３、２４、２５、４６、
４７、４８、４９、５０      ＥＶ（電磁制御弁）
２０、５２                  シールプレート
３０、５３                  ロアハウジング
３１、３２、３３、３４      ＭＶ（油圧駆動弁）
４０、４１                  包囲壁体（補強部材）
４２                        カバー（固定部材）
４５                        コネクタ（固定部材）
【図１】
0003899496.tif 000002
【図２】
0003899496.tif 000003
【図３】
0003899496.tif 000004
【図４】
0003899496.tif 000005
【図５】
0003899496.tif 000006
【図６】
0003899496.tif 000007
【図７】
0003899496.tif 000008
【図８】
0003899496.tif 000009